(57)【要約】【課題】  焦点距離が変更可能であり、且つ、焦点距離に関する情報を通知する光学機器置において、ユーザの利便性を向上させること。【解決手段】  光学機器１００は、焦点距離を変更可能な結像光学系と、結像光学系の焦点距離に関する情報をユーザに通知する通知部１４０、１４１とを備える。通知部１４０、１４１は、焦点距離に基づいて焦点距離に関する情報の通知方法を変更する。【選択図】  図３
2019121859.tif 000002
【特許請求の範囲】
【請求項１】
焦点距離を変更可能な結像光学系と、
前記結像光学系の焦点距離に関する情報をユーザに通知する通知部と、を備え、
前記通知部は、前記焦点距離に基づいて前記焦点距離に関する情報の通知方法を変更することを特徴とする光学機器。
【請求項２】
前記通知部は、
前記焦点距離が閾値以上の場合と前記閾値未満の場合とで、前記通知方法を変更することを特徴とする請求項１に記載の光学機器。
【請求項３】
前記結像光学系による結像を撮影して撮像信号を出力する撮像素子を備えることを特徴とする請求項１または２に記載の光学機器。
【請求項４】
電源の投入操作を受けて起動指示を出力する制御部と、
前記撮像信号に基づく画像を表示する表示部を制御する表示制御部を備え、
前記通知部は、前記表示部に前記撮像信号に基づく画像を表示する準備が完了する前に前記焦点距離に関する情報を通知することを特徴とする請求項３に記載の光学機器。
【請求項５】
前記撮像信号に基づく画像を表示する、電子ビューファインダの着脱を検出する検出部を備え、
前記通知部は、
前記焦点距離が閾値以上の場合と前記閾値未満の場合とで前記通知方法を変更し、
前記焦点距離と前記電子ビューファインダの着脱の判定結果に基づいて、前記閾値を変更することを特徴とする請求項３または４に記載の光学機器。
【請求項６】
前記撮像信号に基づく画像を表示する、電子ビューファインダの着脱を検出する検出部を備え、
前記通知部は、
前記結像光学系側に配置される第１の通知部と、前記電子ビューファインダの着脱部側に配置される第２の通知部とを備え、
前記検出部により、前記電子ビューファインダが装着されていると判定された場合は少なくとも前記第１の通知部を用い、
前記電子ビューファインダが装着されていないと判定された場合は少なくとも前記第２の通知部を用いて前記焦点距離に関する情報を通知することを特徴とする請求項３乃至５のいずれか１項に記載の光学機器。
【請求項７】
前記電子ビューファインダで表示する情報を制御する表示制御部を備え、
前記表示制御部は、前記電子ビューファインダから、ユーザが前記電子ビューファインダに接眼がしていることを示す判定結果を受信した場合は、前記電子ビューファインダの表示部に前記焦点距離に関する情報を通知することを特徴とする請求項５または６に記載の光学機器。
【請求項８】
前記通知部は発光部を備え、
前記発光部の発光色と発光パターンの少なくともいずれかを変えることで通知方法を変えることを特徴とする請求項１乃至７のいずれか１項に記載の光学機器。
【請求項９】
前記通知部は発音部を備え、
前記発音部が発する音を変えることで通知方法を変えることを特徴とする請求項１乃至８のいずれか１項に記載の光学機器。
【請求項１０】
前記通知部は、
前記焦点距離が前記閾値以上の場合に警告通知をすることで、前記通知方法を変更することを特徴とする請求項２に記載の光学機器。
【請求項１１】
電源の投入操作を受けて起動指示を出力する制御部と、
前記結像光学系を駆動する駆動部を備え、
前記駆動部は、前記起動指示の入力時に前記焦点距離が閾値以上の場合、前記結像光学系を駆動して、前記焦点距離を前記閾値未満にすることを特徴とする請求項１乃至１０のいずれか１項に記載の光学機器。
【請求項１２】
電源の停止操作を受けて停止指示を出力する制御部と、
前記結像光学系を駆動する駆動部を備え、
前記駆動部は、前記停止指示を受けた時に前記焦点距離が閾値以上の場合、前記結像光学系を駆動して、前記焦点距離を前記閾値未満にすることを特徴とする請求項１乃至１１のいずれか１項に記載の光学機器。
【発明の詳細な説明】
【技術分野】
【０００１】
本発明は、光学系を備えた光学機器における、ユーザインタフェースに関するものである。
【背景技術】
【０００２】
光学系を備えた光学機器として、デジタルカメラのユーザインタフェースに関して種々の提案がされている。例えば、手振れによる撮影の失敗を防ぐために、焦点距離とシャッタスピードに応じて、手振れ警告を行うデジタルカメラが提案されている。
【０００３】
特許文献１には、焦点距離とシャッタスピードに応じて手振れ警告を行う撮像装置において、焦点距離が所定値以上の場合は手振れ警告がされにくくなる条件に従って、警告表示を行うことの記載がある。これにより、長い焦点距離が設定されている場合に警告の頻度が多くなりすぎるという課題を解決することができる。
【先行技術文献】
【特許文献】
【０００４】
【特許文献１】特開２００２−２３２４３号公報
【発明の概要】
【発明が解決しようとする課題】
【０００５】
デジタルカメラの撮影スタイルに応じた手振れの影響を考えた場合、片手でデジタルカメラを持って撮影する場合と、デジタルカメラが備えるファインダ部を覗いて撮影する場合で、デジタルカメラの手振れの影響は異なる。例えば、前者は、片方の手でデジタルカメラを持ってフレーミングしながら、もう片方の手で持っているスマートフォンでデジタルカメラのライブビュー画像を確認する撮影スタイルである。一方、後者は両手でデジタルカメラを持って、デジタルカメラに備えつけられたファインダを覗きながら撮影するスタイルであり、ファインダ撮影時の方がデジタルカメラの手振れの影響は小さくなることが一般的である。
【０００６】
特許文献１の撮像装置における警告表示は、撮影スタイルに応じて手振れが比較的生じやすいケースと比較的生じにくいケースがあることまで想定されていないなど、ユーザの利便性の面で不十分なことがある。
【０００７】
そこで本発明は、焦点距離が変更可能であり、且つ、焦点距離に関する情報を通知する光学機器置において、ユーザの利便性を向上させることを目的とする。
【課題を解決するための手段】
【０００８】
本発明の一側面としての光学機器は、焦点距離を変更可能な結像光学系と、前記結像光学系の焦点距離に関する情報をユーザに通知する通知部と、を備え、前記通知部は、前記焦点距離に基づいて前記焦点距離に関する情報の通知方法を変更することを特徴とする。
【０００９】
本発明のその他の側面については以下で説明をする発明を実施するための形態で明らかにする。
【発明の効果】
【００１０】
本発明によれば、焦点距離が変更可能であり、且つ、焦点距離に関する情報を通知する光学機器置において、ユーザの利便性を向上させることが可能となる。
【図面の簡単な説明】
【００１１】
【図１】本発明の実施例１〜３に係る撮像装置及び電子ビューファインダの外観図である。
【図２】本発明の実施例１〜３に係る撮像装置及び電子ビューファインダのブロック図である。
【図３】本発明の実施例１に係るフローチャートである。
【図４】本発明の実施例に係る電子機器の警告表示を示す図である。
【図５】本発明の実施例２に係るフローチャートである。
【図６】変形例における撮像装置及び電子ビューファインダの外観図である。
【図７】変形例における撮像装置及び電子ビューファインダの外観図である。
【発明を実施するための形態】
【００１２】
以下に、本発明の好ましい実施の形態を、添付の図面に基づいて詳細に説明する。なお、各図において、同一の部材については同一の参照番号を付し、重複する説明は省略する。
【００１３】
下記実施例１〜３では、複数の異なる焦点距離を選択可能な結像光学系を備える光学機器として、結像光学系と、結像光学系を介して入射した光を光電変換する撮像素子とを備える撮像装置について説明をする。しかしながら、本発明は、例えば、撮像素子を備えないレンズユニットにも適用可能である。
【実施例１】
【００１４】
本実施例の撮像装置は、電源投入時に焦点距離に関する情報をユーザに通知し、電源投入時の焦点距離に基づいて通知方法を変更する。また、電子ビューファインダの着脱が可能であり、電子ビューファインダが装着されている場合は焦点距離が第１の閾値以上か未満かで通知方法を変更し、電子ビューファインダが装着されていない場合は焦点距離が第２の閾値以上か未満かで通知方法を変更する。第１の閾値は第２の閾値よりも大きい値とする。
【００１５】
以下、図１〜４を参照して、本実施例について説明する。
【００１６】
図１は本実施例の撮像装置の外観図である。図１（ａ）は撮像装置１００を前側から見た斜視図である。図１（ｂ）は図１（ａ）の撮像装置１００を上下逆にし、後ろ側から見た斜視図である。図１（ｃ）は撮像装置１００と電子ビューファインダ（Ｅｌｅｃｔｒｏｎｉｃ  Ｖｉｅｗ  Ｆｉｎｄｅｒ。以下、ＥＶＦと呼ぶ）に分離して、後ろ側から見た斜視図である。
【００１７】
撮像装置１００は、結像光学系１０５、各種操作スイッチ、外部機器と接続するためのコネクタ１１０、結像光学系と対向する位置に設けられた、ＥＶＦ１５０と接続するためのコネクタ１２０、焦点距離を示す情報を通知する通知部１４０、１４１を備える。撮像装置１００は操作スイッチとして、電源のＯＮ／ＯＦＦを指示するパワースイッチ１１２、焦点距離の切り替えを指示するズームスイッチ１１３、撮影を指示するレリーズスイッチ１１４、モードの切り替えを指示するモードスイッチ１１８を備える。尚、撮像装置１００は置き撮りの際に用いるスタンドを備えていてもよい。
【００１８】
ＥＶＦ１５０は、撮像装置１００と接続するためのコネクタ１５１、撮像装置から入力される表示信号に基づく画像を表示する表示部１５４と、表示部１５４をユーザが覗いているかどうかを検知する接眼検知部１５２とを備える。尚、本発明及び本明細書において、単に画像というときは、静止画像および動画像の両方を含むものとする。
【００１９】
図２は本実施形態の撮像装置１００及びＥＶＦ１５０の内部構成を示すブロック図である。
【００２０】
コントローラ（中央演算処理装置）１０１は、撮像装置１００の動作を制御する制御部であり、制御プログラムを記憶しているＲＯＭ１０２（リードオンリーメモリ）、ＲＡＭ１０３（ランダムアクセスメモリ）がそれぞれ接続されている。さらに、コントローラ１０１には、データ格納手段１０４、データ通信手段１０９、画像処理部１０８、表示制御部１１１、レリーズスイッチ１１４、ＤＣ／ＤＣコンバータ１１７等がそれぞれ接続されている。
【００２１】
コントローラ１０１は、ＲＯＭ１０２内の制御プログラムに基づいて各種制御を行う。これらの制御の中には、画像処理部１０８から出力された撮像信号を読み込み、ＲＡＭ１０３へ転送を行う処理がある。同様に、ＲＡＭ１０３より表示制御部１１１へデータを転送する処理、また、画像データをＪＰＥＧ圧縮し、ファイル形式でデータ格納手段１０４へ格納する処理がある。動画データの場合も同様な処理を経て、ＭＯＶ形式などのファイルに圧縮され、データ格納手段１０４へ格納される。
【００２２】
さらに、コントローラ１０１は、撮像素子１０６、撮像素子制御部１０７、画像処理部１０８表示制御部１１１に対してデータ取り込み範囲やデジタル画像処理の変更指示を行う。また、コントローラ１０１は撮像素子１０６が出力する撮像信号から取得される被写界輝度信号、色信号に基づいて被写体検出、顔認識、色認識が可能であり、被写体が人物であるか否かなどの撮影シーン判別が可能である。
【００２３】
結像光学系１０５は、被写体からの光を撮像素子１０６上に結像させている。なお、図２では、結像光学系１０５を、便宜的に２枚のレンズで表現しているが、レンズの枚数は特に問わない。
【００２４】
撮像素子１０６は結像光学系１０５からの光を光電変換して、撮像信号を出力するセンサ―であり、例えばＣＭＯＳセンサやＣＣＤセンサを用いることができる。尚、本発明及び本明細書では、特に断りがない限り、撮像素子１０６による光電変換により取得された信号及び、該信号に対して各種変換処理及び各種画像処理を施した信号のことをまとめて撮像信号と呼ぶ。
【００２５】
撮像素子制御部１０７は、撮像素子１０６による撮像を制御する手段であり、撮像素子１０６に転送クロック信号やシャッター信号を供給するためのタイミングジェネレータ、撮像素子からの出力信号のノイズ除去、ゲイン処理を行うための回路を有している。撮像素子制御部１０７は、さらにアナログ信号を例えば１０ビットデジタル信号に変換するためのＡ／Ｄ変換回路を有している。１０ビットデジタル信号というのが映像情報取得量子化ビット数に対応する。ビット数は撮像素子の仕様などで種々変更可能である。撮像素子制御部１０７は、さらに、ＥＶＦ１５０の表示部１５４に撮像素子１０６からの撮像信号に基づく画像の表示と動画撮影とを行うために、コントローラ１０１からの解像度変換指示に従って、画素間引き処理を行うための回路を含んでいる。
【００２６】
焦点制御部１１９は、自動焦点調節（オートフォーカス）を制御する手段であり、コントラストＡＦや撮像面位相差ＡＦなどの従来の焦点位置検出方法によって撮像範囲内の複数の領域について焦点位置を検出する。例えばコントローラ１０１を介して撮像信号を取得し、該撮像信号に基づいて、現在位置からどの程度レンズを駆動させれば焦点が合うか（もしくは現状のレンズ位置で焦点が合ったか）を計算し、レンズ駆動部１３１に駆動量を指示する。コントラストＡＦでは、ピントを移動させながら撮像信号を取得し、取得した撮像信号のコントラストが極大値をとるところを合焦位置とみなす。また、撮像面位相差では、取得した撮像信号から視差を有する１対の焦点検出用信号を取得し、相関演算を行うことで合焦位置を検出する。尚、撮像信号を用いた焦点位置検出の代わりに、２次結像レンズと専用のセンサとを用いた位相差ＡＦを用いてもよい。
【００２７】
レンズ駆動部１３１はコントローラ１０１を介して焦点制御部１１９より指示された駆動量に応じて結像光学系１０５内の特定のレンズの位置を変えることによって焦点を合わせる動作を行う。この焦点を合わせる方法についてはレンズ駆動に限定しない。撮像素子１０６と結像光学系１０５全体との相対位置を変化させても同様の効果が得られるため、撮像素子１０６の位置を変更してもよい。その場合、例えば撮像素子１０６を結像光学系１０５の光軸に沿って前後させても良い。
【００２８】
ＲＡＭ１０３は、不図示であるが画像展開エリア、ワークエリア、ＶＲＡＭ、一時退避エリアなどを備えている。画像展開エリアは、画像処理部１０８より送られてきた撮影画像（ＹＵＶデジタル信号）やデータ格納手段１０４から読み出されたＪＰＥＧ圧縮画像データを一時的に格納するためのテンポラリバッファとして使用される。または画像圧縮処理、解凍処理のための画像専用ワークエリアとして使用される。
【００２９】
ワークエリアは各種プログラムのためのワークエリアである。ＶＲＡＭは各表示部へ表示する表示データを格納するＶＲＡＭとして使用される。また、一時退避エリアは各種データを一時退避させるためのエリアである。
【００３０】
データ格納手段１０４は、コントローラ１０１によりＪＰＥＧ圧縮された撮影画像データ、あるいはＭＯＶ形式などの動画像データをファイル形式で格納しておくためのフラッシュメモリである。撮像素子１０６は、コントローラ１０１からの解像度変換指示に従って、水平方向および垂直方向の間引き画素データの出力が可能である。
【００３１】
レリーズスイッチ１１４は、撮影動作の開始指示を受け付けるための操作部材であり、レリーズスイッチ１１４が操作されると、コントローラ１０１に撮像指示信号が入力され、コントローラ１０１を介して撮影動作の制御が行われる。このレリーズスイッチ１１４はユーザの押下圧によって２段階のスイッチポジションを有している。１段目のポジション（ＳＷ１  ＯＮ）の検出で、ホワイトバランス、測光、ＡＦ等のカメラ設定のロック動作が行われる。２段目のポジション（ＳＷ２  ＯＮ）の検出で、被写体の撮像信号の取り込み動作が行われる。
【００３２】
パワースイッチ１１２は、ユーザからの撮像装置１００の電源投入指示（起動指示）及び電源停止指示を受け付けるための操作部材である。ユーザによる電源の投入操作または停止操作を受けて、コントローラ１０１に電源投入（起動）または電源停止を指示する信号を出力する。
【００３３】
ズームスイッチ１１３は、ユーザからの撮像装置１００の結像光学系１０５の焦点距離の変更指示を受け付けるための操作部材であり、ユーザによる操作を受けて、コントローラ１０１に焦点距離の変更を指示する信号を出力する。コントローラ１０１は、焦点距離の変更指示を受けて、レンズ駆動部１３１を介して結像光学系１０５を制御し、焦点距離が変更される。これにより、光学ズーム倍率が変更される。本実施例のズームスイッチ１１３は、光学ズーム倍率アップ、光学ズーム倍率ダウンの２つスイッチが設けられているものとするが、ズームスイッチ１１３の形態はこれに限定されない。
【００３４】
モードスイッチ１１８は、ユーザの操作により撮像装置１００が有する各種撮影のためのモード切替指示を受け付ける操作部材であり、ユーザによる操作を受けて、コントローラ１０１にモード切り替え信号が入力されることで、撮影モードの切替が行われる。撮影モードとしては、撮影スタイルに応じた撮影モードとして、外部機器１６０を介して遠隔操作による撮影を行うモードと、ＥＶＦ１５０を用いて撮像装置１００が備える各種操作部を操作することにより撮影を行うモードとを有する。尚、撮像装置は、記録画像に応じた撮影モードとして、静止画撮影モードと動画撮影モードとを有していてもよい。
【００３５】
測光制御部１３２は、コントローラ１０１の指示に従って、自動露出制御を行う制御部であり、撮像素子１０６から取得した撮像信号を用いて、測光処理を行い、測光結果をコントローラ１０１に出力する。
【００３６】
基本的な測光処理の例について説明をする。撮像素子１０６の受光面の画素において発生した輝度信号はコントローラ１０１にて各々Ａ／Ｄ変換が行われ、各々８ビットのデジタル信号となる。但し、輝度信号とは、測光用に取得した撮像信号のことを指す。これに結像光学系１０５の明るさを示す実効Ｆ値の補正、センサ出力信号のバラツキ補正（レベル・ゲインの調整）、さらには結像光学系１０５から送られてくる情報等から測光補正が行われる。そして最終的に被写界輝度信号値を得ることができる。これらの情報に基づいてカメラの最適露出演算が行われ、コントローラ１０１を介してカメラのシャッタスピード、結像光学系１０５の絞りを最適に制御することで最適な露光を得ることができる。
【００３７】
シャッター１３３は、露光時間を調節することで撮像素子１０６に取り込む光量を制御する手段であり、フォーカルプレーンシャッターやレンズシャッター、または、電子的に撮像素子に取り込む光量を制御する電子シャッターを用いることができる。
【００３８】
これら結像光学系１０５、撮像素子１０６、撮像素子制御部１０７、レンズ駆動部１３１、焦点制御部１１９、レリーズスイッチ１１４、シャッター１３３、測光制御部１３２、ズームスイッチ１１３から撮像部が構成されている。
【００３９】
また、画像処理部１０８は、撮像素子１０６から出力され、撮像素子制御部１０７によりＡＤ変換されて出力された１０ビットデジタル信号に対して、ガンマ変換、色空間変換、また、ホワイトバランス、ＡＥ、フラッシュ補正等の画像処理を行う。そして画像処理部１０８は、画像処理を施した撮像信号をＹＵＶ（４：２：２）フォーマットの８ビットデジタル信号に変換し、この信号の出力を行う。
【００４０】
表示制御部１１１は、ＥＶＦの表示部１５４に表示する画像を制御する制御部であり、ファインダ接続検出部１１５によりファイダの接続が検出されている場合に、撮像素子１０６からの撮像信号に基づいて表示部１５４へ出力する表示画像信号を生成する。表示部１５４はコネクタを介して表示制御部１１１から取得した表示信号に基づく画像を表示する。具体的には、表示制御部１１１は、画像処理部１０８から転送されたＹＵＶデジタル画像データ、あるいはデータ格納手段１０４の画像ファイルに対してＪＰＥＧの伸長を行ったＹＵＶデジタル画像データを受け取る。そしてＲＧＢデジタル信号へ変換した後、ＥＶＦ１５０の表示部１５４へ出力する処理を行う。
【００４１】
また、表示制御部１１１は、ＥＶＦ１５０の接続有無を検出するファインダ接続検出部１１５を備える。ファインダ接続検出部１１５は、コネクタ１２０を介してＥＶＦ１５０の検出信号を受け取ることにより、ＥＶＦ１５０の接続検出を行う。
【００４２】
コネクタ１２０は、ＥＶＦ１５０と接続するための、撮像装置１００側の接続部であり、ＥＶＦ側のコネクタ１５１と接続されるインタフェース部である。撮像装置側のコネクタ１２０とＥＶＦ側のコネクタ１５１を介して、撮像装置からの表示信号やＥＶＦからの表示信号リクエスト信号など、ＥＶＦの表示部１５４の表示に必要な情報が通信される。
【００４３】
電池１１６は、リチャージャブルの２次電池あるいは乾電池のようなリチャージャブルでない１次電池であり、ＤＣ／ＤＣコンバータ１１７に電力を供給する。ただし電力を供給することができれば、他の電源装置を用いても構わない。
【００４４】
ＤＣ／ＤＣコンバータ１１７は、電池１１６からの電源供給を受け、昇圧、レギュレーションを行う。そうすることにより複数の電源を作り出し、コントローラ１０１を初めとする各素子に必要な電圧の電源を供給している。このＤＣ／ＤＣコンバータ１１７は、コントローラ１０１からの制御信号により、各々の電圧供給の開始、停止を制御できるようになっている。
【００４５】
第１の通知部１４０及び第２の通知部１４１は、焦点距離に関する情報をユーザに通知する手段である。本実施例ではＬＥＤ（発光ダイオード）により発光する発光部とするが、液晶ディスプレイ等の他の表示デバイスでもよいし、音声デバイスにより発音する発音部などでも良い。尚、電源のＯＮ／ＯＦＦに関する情報や、各種エラー情報など、焦点距離に関する情報を以外もユーザに通知する形態をとることもできる。
【００４６】
第１の通知部１４０は、焦点距離に関する情報を主に被写体に通知する手段であり、結像光学系１０５の光が入射する側の近傍（結像光学系側という）に配置されている。一方、第２の通知部１４１は、焦点距離に関する情報を主に撮影者に通知する手段であり、ＥＶＦ１５０のコネクタ１２０の近傍（ＥＶＦの着脱部側）に配置されている。
【００４７】
データ通信手段１０９は、撮像装置１００を遠隔制御する際に、外部機器１６０と有線または無線で通信する通信する手段である。外部機器１６０が表示部１６１を備えると、ＥＶＦの表示部１５４と同様に撮影者がライブビュー画像を確認しながら撮影操作を行うことができるため好ましい。尚、外部機器１６０は撮像装置１００とは異なる電子機器であり、スマートフォンなどを利用することができる。外部機器の表示部１６１に表示する画像は、表示制御部１１１により制御を行ってもよい。
【００４８】
コネクタ１１０は、撮像装置１００に外部機器１６０を有線接続する場合に用いるコネクタである。
【００４９】
次にＥＶＦ１５０の構成要素について説明する。
【００５０】
コネクタ１５１は、撮像装置１００と接続するための、ＥＶＦ１５０側の接続部であり、撮像装置１００のコネクタ１２０と接続されるインタフェース部である。
【００５１】
接眼検知部１５２は、ユーザがＥＶＦ１５０を覗いたときに接眼を検知するためのアイセンサなどの検知手段である。
【００５２】
表示部１５４は、表示制御部１１１からの表示信号に基づく画像を表示することにより、ライブビュー画像を表示する手段であり、例えば小型なＬＣＤ（液晶ディスプレイ）や有機ＥＬディスプレイを備える。また、焦点距離に関する情報などの撮像装置１００の状態を撮影者に通知する機能も備えている。
【００５３】
コントローラ１５５は、ＥＶＦ１５０のコネクタ１５１、接眼検知部１５２、表示部１５４と接続されており、ＥＶＦ１５０全体を制御する制御手段である。
【００５４】
次に、ＥＶＦ１５０を用いた静止画撮影時の撮像装置のフローの概要を説明する。結像光学系１０５を通った光が撮像素子１０６の撮像面（受光面）上に結像され、ＥＶＦ１５０の表示部１５４に撮像信号に基づくライブビュー画像が表示される。
【００５５】
撮影者がレリーズスイッチ１１４を半押しすることで、ＳＷ１がＯＮされ、測光制御部１３２とコントローラ１０１とによって、シャッタスピードや絞り値などの露出条件が設定される。また、焦点制御部１１９とコントローラ１０１とによって、焦点調節処理が実行される。
【００５６】
撮影者がレリーズスイッチ１１４を全押しするとＳＷ２がＯＮされ、結像光学系１０５によって集光された被写体光はシャッター１３３にてその光量制御がなされ、撮像素子１０６によって被写体像として光電変換処理され、撮像信号が出力される。この後、画像処理部１０８で撮像信号に対して画像信号処理が行われ、撮影された静止画を示す信号が生成され、ＥＶＦ１５０の表示部１５４に撮影された静止画像の表示がなされる。
【００５７】
図３は本実施例の起動処理に係るフローチャートであり、焦点距離に基づいて、通知部を用いた通知方法を変更し、且つ、ＥＶＦ１５０が接続されているか否かによって、通知方法を変える焦点距離を変更するフローを示す。本実施例に係る通知部の通知例及び表示部の表示例を示す図４を引用しながら説明する。
【００５８】
まず、ステップＳ３００において、ユーザによりパワースイッチ１１２が押され、電源がＯＮになったことを撮像装置１００のコントローラ１０１が検出する。電源ＯＮが検出されると、ＤＣ／ＤＣコンバータ１１７は、撮像装置１００内の各構成要素に電源を供給し、撮像装置１００の電源が投入され、撮像装置の起動が指示される。
【００５９】
次に、ステップＳ３０１において、ファインダ接続検出部１１５は、ＥＶＦ１５０が接続されているか否かを検出し、ＥＶＦ１５０の接続が検出されている場合はステップＳ３０２に進む。ＥＶＦ１５０の接続が検出されていない場合はステップＳ３０６に進む。
【００６０】
ＥＶＦ１５０が接続されている、ステップＳ３０２へ進むケースは、図１（ａ）と（ｂ）に示す接続構成であり、ユーザはＥＶＦ１５０を覗いて撮影するケースが多いと考えられる。一方、ＥＶＦ１５０が接続されていない、ステップＳ３０６へ進むケースは、図１（ｃ）に示す接続構成であり、ユーザはＥＶＦ１５０を使わず、外部機器１６０を使って、撮影するケースが多いと考えられる。言い換えると、ステップＳ３０２へ進むケースは、ステップＳ３０６へ進むケースと比較して、手振れが生じにくい撮影スタイルでの撮影が想定される。
【００６１】
ステップＳ３０２において、コントローラ１０１は、レンズ駆動部１３１に現在設定されているレンズ位置をリクエストし、設定されているレンズ位置により決定される焦点距離が第１の閾値以上か否かを判定する。ただし、現在設定されているレンズ位置とは、起動直後にレンズが配置されている予定の位置であり、後述するステップＳ３０９でレンズ位置が変更される場合は現在の位置と異なる。また、起動時にレンズ位置が変更されない場合は、現在の位置と設定されている位置とは一致する。尚、本実施例の第１の閾値は焦点距離４００ｍｍとする。
【００６２】
ステップＳ３０２において、焦点距離が第１の閾値以上であると判定された場合はステップＳ３０３に進む。そして、撮像装置１００のコントローラ１０１は、図４（ｄ）に示すように、ＥＶＦ１５０近傍の第２の通知部１４１が赤色の点滅表示（警告通知）を行うように制御を行う。第２の通知部１４１が赤色の点滅表示を行うことで、ユーザに対して焦点距離が長いことを通知することができる。通知を受けたユーザは、比較的画角が狭く手振れがしやすい焦点距離が設定されていることが分かるため、必要に応じて焦点距離を設定しなおすことができる。
【００６３】
一方、ステップＳ３０２において、焦点距離が第１の閾値未満であると判定された場合は、ステップＳ３０４に進む。そして撮像装置１００のコントローラ１０１は、図４（ｃ）のように、ＥＶＦ１５０近傍の第２の通知部１４１が緑色の点灯表示（非警告通知）を行うように制御を行う。第２の通知部１４１が緑色の点灯表示を行うことで、ユーザに対して焦点距離が短いことを通知することができる。通知を受けたユーザは、比較的画角が広く手振れがしにくい焦点距離が設定されていることが分かる。このように、焦点距離が第１の閾値以上であるか否かによって、発光色と発光パターン（点灯、点滅、消灯など）とを変えることで、ユーザに対して焦点距離が長いのか否かを通知することができる。
【００６４】
ステップＳ３０６において、コントローラ１０１は、レンズ駆動部１３１に現在設定されているレンズ位置をリクエストし、設定されているレンズ位置により決定される焦点距離が第２の閾値以上か否かを判定する。本実施例の第２の閾値は焦点距離２００ｍｍとする。
【００６５】
ステップＳ３０６において、焦点距離が第２の閾値以上である場合は、ステップＳ３０７に進む。そして、撮像装置１００のコントローラ１０１は、図４（ｂ）に示すように、結像光学系１０５近傍の第１の通知部１４０が赤色の点滅表示（警告通知）を行うように制御を行う。第１の通知部１４０が赤色の点滅表示を行うことで、ユーザに対して焦点距離が長いことを通知することができる。通知を受けたユーザは、比較的画角が狭く手振れがしやすい焦点距離が設定されていることが分かるため、必要に応じて焦点距離を設定しなおすことができる。
【００６６】
一方、ステップＳ３０６において、焦点距離が第２の閾値未満であると判定された場合は、ステップＳ３０８に進む。そして、撮像装置１００のコントローラ１０１は、図４（ａ）のように、結像光学系１０５近傍の第１の通知部１４０に緑色の点灯表示（非警告通知）を行うように制御を行う。第１の通知部１４０が緑色の点灯表示を行うことで、ユーザに対して焦点距離が短いことを通知することができる。通知を受けたユーザは、比較的画角が広く手振れがしにくい焦点距離が設定されていることが分かる。
【００６７】
ステップＳ３０９において、撮像装置１００のレンズ駆動部１３１は、ステップＳ３０２またはステップＳ３０６で検出した、設定されているレンズ位置にレンズを駆動し、撮像装置１００の起動が完了する。電源が投入されているときと停止しているときとでレンズの位置が変更されない場合は、本ステップは不要である。
【００６８】
ステップＳ３１０にて、撮像装置１００は、データ通信手段１０９を介して外部機器１６０と接続するモードであるか否かを判定し、接続するモードである場合は接続を確立する。判定は、モードスイッチ１１８等の操作に基づいて行うことができる。ステップＳ３１０にて、外部機器１６０と接続しているモードであると判定された場合、撮像装置１００は外部機器１６０に接続リクエストを送信する。外部機器１６０は、ユーザの操作により、ステップＳ３２０で外部機器の電源が投入された後に、接続リクエストを受信すると、接続可能であることを撮像装置１００に送信し、ステップＳ３２１で外部機器１６０と撮像装置１００が接続される。
【００６９】
ステップＳ３２１で撮像装置１００と外部機器１６０が接続されると、ステップＳ３２２において、外部機器１６０の表示部１６１に焦点距離に関する情報を表示することで、ユーザに焦点距離に関する情報を通知する。ステップＳ３０９により駆動したレンズの位置に応じて決まる、起動直後の焦点距離が第１または第２の閾値以上である場合は、図４（ｆ）のように焦点距離が長いこと通知する。また、現在の焦点距離が第１または第２の閾値未満である場合は、図４（ｅ）のように焦点距離が短いことを通知する。ステップＳ３２２による通知が終了すると、撮像装置１００及び外部機器１６０は起動処理を終了し、外部機器の表示部１６１でライブビュー表示を行う準備が行われ、ユーザによる撮影操作に応じて撮影が行われる。
【００７０】
一方、外部機器１６０と接続されておらず、ＥＶＦ１５０を用いて撮影を行うモードである場合は、ステップＳ３１０で起動処理を終了する。起動処理が終了すると、ＥＶＦの表示部１５４によるライブビュー表示を行う準備が行われ、ユーザによる撮影操作に応じて撮影が行われる。
【００７１】
以上説明したように、本実施例では、撮像装置の起動前に通知部を介して警告通知するか否かにより、焦点距離に関する情報である、焦点距離が閾値以上か否かの判定結果をユーザに通知する。これにより、ユーザは、撮像装置が起動する前（ＥＶＦや外部機器の表示部での表示準備が完了する前）に焦点距離が比較的長いか否かが分かる。起動前に焦点距離変更操作を受け付け可能な撮像装置であれば、ユーザは起動を待つことなく焦点距離を変更することができるため、ユーザビリティが向上する。特に、外部機器を用いて撮影を行う場合は、外部機器と撮像装置との接続に要する時間の分、設定されている焦点距離がユーザにわかるまで時間がかかるが、本実施例を適用すれば接続が完了する前に焦点距離が比較的長いのか否かが分かるため、効果が大きい。
【００７２】
加えて、ＥＶＦ１５０の接続の有無に応じて、警告通知をするか否かを判定するための閾値（第１の閾値と第２の閾値）を変更することにより、焦点距離に依存するユーザインタフェース表示を制御することが可能となる。また、第１の閾値を第２の閾値よりも大きく設定することで、手振れが発生しにくい撮影スタイルでの撮影が想定される際の警告表示の閾値を、手振れが発生しやすい撮影スタイルでの撮影が想定される際の警告表示の閾値よりも大きくすることができる。これにより、撮影スタイルに適したユーザインタフェース表示を提供することが可能となる。よって、手振れしやすい撮影スタイルでの撮影に最適化された通知方法を実施することで、手振れしにくい撮影スタイルでの撮影時に過度に警告通知がなされて、ユーザが煩わしさを感じるという課題を軽減することができる。
【００７３】
なお、本実施例では焦点距離の通知としているが、手振れ警告など、焦点距離に依存する通知であれば、同様の効果が期待出来る表現に変えても良い。
【００７４】
また、上述の実施例では、ＥＶＦ１５０が接続されているときは、ステップＳ３０３またはＳ３０４にて第２の通知部１４１に焦点距離に関する情報を通知した。しかしながら、接眼検知部１５２によって、ユーザがＥＶＦ１５０を覗いていることが検知されたときは、ＥＶＦ１５０の表示部１５４に、焦点距離に関する情報を表示してもよい。この場合、例えば、ステップＳ３０３に進んだ場合は、図４（ｈ）、ステップＳ３０４に進んだ場合は、図４（ｇ）のように表示しても良い。
【実施例２】
【００７５】
本実施例は、電源が停止されても焦点距離が保持される撮像装置であり、撮像装置の電源投入時と電源停止時に、焦点距離が閾値以上の場合に結像光学系を駆動して焦点距離を閾値未満に制御する点が実施例１と異なる。この構成により、前回の撮影時に望遠側で撮影したまま電源停止指示をした場合であっても、手振れ等の影響の少ない焦点距離にて撮影を開始出来る。ＥＶＦの着脱の判定結果に応じて閾値を変更する点を含め、その他の点は実施例１と同様である。
【００７６】
図１、図２、図４、図５を参照して、本発明の実施形態について説明するが、第１の実施例と同様の説明は割愛する。
【００７７】
本実施例の構成は実施例１と同様のため説明は割愛する。
【００７８】
図５は本実施例に係るフローチャートである。本実施例に係る警告表示を示す図４を引用しながら説明する。図５のフローチャートは、図１の撮像装置１００に対し、ＥＶＦ１５０が接続されているか否かによって、起動前におけるユーザに焦点距離に関するユーザインタフェース表示制御を変更するフローである。また、ユーザインタフェース表示制御とともに、電源投入及び電源停止時に結像光学系を所定焦点距離以下に制御するものである。
【００７９】
まず、ステップＳ４００において、実施例１のステップＳ３００と同様に、ユーザによるパワースイッチ１１２の操作により、撮像装置１００の電源投入指示が入力されると、撮像装置の電源が投入され、起動指示が入力される。
【００８０】
次に、ステップＳ４０１において、ファインダ接続検出部１１５は、ＥＶＦ１５０が接続されているか否かを検出し、ＥＶＦ１５０の接続が検出されている場合は、ステップＳ４０２に進む。ＥＶＦ１５０の接続が検出されていない場合は、ステップＳ４０６に進む。
【００８１】
ＥＶＦ１５０が接続されていると判定されると、ステップＳ４０２において、コントローラ１０１は、焦点距離が第１閾値以上か否かを判定する。ステップＳ４０２において、焦点距離が第１の閾値以上であると判定された場合は、ステップＳ４０３に進み、第２の通知部１４１を用いて警告通知を行うように制御を行い、ステップＳ４０４へ進む。尚、ステップＳ４００〜４０３は実施例１のステップＳ３００〜３０３と同様である。
【００８２】
ステップＳ４０４において、レンズ駆動部１３１は、焦点距離が第１の閾値未満になるよう、結像光学系１０５を制御してステップＳ４０５へ進む。そして、ステップＳ４０５において、コントローラ１０１はステップＳ３０４と同様に、図４（ｃ）のように第２の通知部１４１を用いて非警告通知を行うよう制御を行う。
【００８３】
ステップＳ４０２において、焦点距離が第１の閾値未満であると判定された場合は、ステップＳ４０３、４０４を経ずにステップＳ４０５に進み、第２の通知部１４１を用いた非警告通知を行うよう制御を行う。
【００８４】
一方、ＥＶＦ１５０が接続されていないと判定されると、ステップＳ４０６において、コントローラ１０１は、焦点距離が第２閾値以上か否かを判定する。ステップＳ４０６において、焦点距離が第２の閾値以上である場合は、ステップＳ４０７に進み、第１の通知部１４０を用いて警告通知を行うよう制御を行い、ステップＳ４０８へ進む。尚、ステップＳ４０６、４０７は実施例１のステップＳ３０６，３０７と同様である。
【００８５】
ステップＳ４０８において、レンズ駆動部１３１は、焦点距離が第２の閾値未満になるように結像光学系１０５を制御してステップＳ４０９へ進む。そして、ステップＳ４０９において、撮像装置１００のコントローラ１０１は、図４（ａ）のように第１の通知部１４１を用いた非警告通知を行うよう制御を行う。
【００８６】
ステップＳ４０６において、焦点距離が第２の閾値未満であると判定された場合は、ステップＳ４０７、４０８を経ずにステップＳ４０９に進み、第１の通知部１４０を用いた非警告通知を行うよう制御を行う。
【００８７】
ステップＳ４０５、４０９で非警告通知を行った後、ステップＳ４１０へ進み、ステップＳ３０９と同様に撮像装置の起動を行う。
【００８８】
ステップＳ４１１にて、ステップＳ３１０と同様に、撮像装置１００は、データ通信手段１０９を介して外部機器１６０と接続するモードであるか否かを判定し、接続するモードである場合はステップＳ４３１で撮像装置１００と外部機器１６０が接続される。外部機器１６０は、ステップＳ４３２において、外部機器１６０の表示部１６１に、図４（ｅ）のように焦点距離が広角側であることを報知する。
【００８９】
ステップＳ４１２において、ユーザはズームスイッチ１１３、レリーズスイッチ１１４、モードスイッチ１１８などを用いて、撮影操作を行う。撮影操作の過程において、ズームスイッチ１１３により、光学ズーム倍率が変更され、焦点距離が撮像装置の起動時から変更されるケースが発生する。また、ステップＳ４１１で外部機器１６０と接続されている場合は、外部機器１６０と撮像装置１００との間で撮影処理に必要な各種情報を通信し、ステップＳ４３３において、ステップＳ４１２の撮影操作に応じて、撮像装置と同期した処理が行われる。同期した処理としては例えば、外部機器１６０に撮影画像が保存されるなどの処理が挙げられる。
【００９０】
ステップＳ４１３において、ユーザによりパワースイッチ１１２が押下され、電源停止（電源ＯＦＦ）が指示されたか否かを、撮像装置１００のコントローラ１０１が判定する。電源停止が指示されていないと判定すると、ステップＳ４１３による撮影工程を継続する。一方、電源停止が指示されたと判定すると、ステップＳ４１４に進み、撮像装置１００の終了処理を開始する。このとき、外部機器１６０と接続している場合、撮像装置のコントローラ１０１は外部機器１６０に対して、撮像装置の終了処理を開始することを通知する。
【００９１】
外部機器１６０は、ステップＳ４３４において、撮像装置１００の終了処理を開始する通知を受信すると、ステップＳ４３５に進み、撮像装置１００の終了処理の開始通知を受信してない場合は、ステップＳ４３３に戻り、撮影処理を継続する。
【００９２】
ステップＳ４３５において、外部機器１６０は撮像装置１００との接続を切断、外部機器１６０による撮影制御のフローは終了となる。
【００９３】
ステップＳ４１４において、ファインダ接続検出部１１５は、ステップＳ４０１と同様にＥＶＦ１５０が接続されているか否かを検出し、接続が検出されている場合は、ステップＳ４１５に進み、接続が検出されていない場合は、ステップＳ４１８に進む。
【００９４】
ＥＶＦ１５０との接続が検出された場合、ステップＳ４１５において、コントローラ１０１は、ステップＳ４０２と同様に現在設定されている焦点距離が第１閾値以上か否かを判定する。焦点距離が第１の閾値以上であると判定された場合は、ステップＳ４１６に進み、ステップＳ４０３と同様に第２の通知部１４１を用いて警告通知を行うよう制御を行い、ステップＳ４１７へ進む。
【００９５】
ステップＳ４１７において、ステップＳ４０４と同様に、撮像装置１００のレンズ駆動部１３１は、焦点距離が第１閾値未満になるよう、結像光学系１０５を制御し、撮像装置１００の終了処理が完了し、フローは終了となる。
【００９６】
ステップＳ４１５において、焦点距離が第１の閾値未満である場合は、ステップＳ４１６、Ｓ４１７を経ずに撮像装置１００の終了処理に進み、フローは終了となる。
【００９７】
一方、ＥＶＦ１５０が接続されていないと判定されると、ステップＳ４１８において、コントローラ１０１は、焦点距離が第２の閾値以上か否かを判定する。
【００９８】
ステップＳ４１８において、焦点距離が第２の閾値以上である場合は、ステップＳ４１９に進み、ステップＳ４０７と同様に第１の通知部１４０を用いて警告通知を行うよう制御を行い、ステップＳ４２０へ進む。
【００９９】
ステップＳ４２０において、レンズ駆動部１３１は、焦点距離が第２の閾値未満になるように結像光学系１０５を制御し、撮像装置１００の終了処理が完了し、フローは終了となる。
【０１００】
ステップＳ４１８において、焦点距離が第２の閾値未満である場合は、ステップＳ４１９、Ｓ４２０を経ずに撮像装置１００の終了処理に進み、フローは終了となる。
【０１０１】
本実施例のように、焦点距離を閾値未満に変更してから撮像を開始することで、起動指示の入力時に設定されている焦点距離に関わらず、被写体を比較的フレーミングしやすい焦点距離で撮像装置を起動することができる。また、終了時にも焦点距離を閾値未満に変更してから電源を停止することで、起動時にステップＳ４０４を行う頻度を低くすることができるため、起動の所要時間を短縮することができる。尚、本実施例では、起動時と電源停止時との両方で焦点距離を閾値未満に変更したが、起動時と電源停止時とのどちらか一方のみで焦点距離の変更を行ってもよい。この場合、起動時のみで行えば、電源停止中に焦点距離の変更が可能な撮像装置であっても焦点距離が閾値未満の状態で起動される。また、停止時のみで行えば、電源停止中に焦点距離の変更があった場合は酒店距離が閾値以上の状態で起動される可能性があるが、ステップＳ４０４により起動にかかる時間が長くなることがない。また、電源停止時に焦点距離及び焦点距離の設定値を変更できない撮像装置の場合は、いずれか一方のみで焦点距離を変更しても両方のタイミングで焦点距離を変更する形態と同様の効果を奏することができる。この場合、終了時にのみこの制御を行うことで、起動の所要時間を短縮することができるため好ましい。
【０１０２】
尚、ＥＶＦは電源停止中に取り外されたり、取り付けられたりする可能性があるため、ステップＳ４１７により焦点距離が変更された後の焦点距離とステップＳ４２０により焦点距離が変更された後の焦点距離とを同じ値としてもよい。つまり、終了時は、ＥＶＦの接続の有無にかかわらず、焦点距離を第１の焦点距離に変更してから電源を停止してもよい。但し、第１の焦点距離は、第２の閾値未満の焦点距離とする。また、電源停止時はＥＶＦの接続の有無にかかわらず、同じ閾値を用いて警告通知の要否及び焦点距離の変更の要否を判断してもよい。この場合、用いる閾値は第２の閾値未満であることが好ましい。
【実施例３】
【０１０３】
本実施例は、焦点距離が変更されても外観が変わらず、且つ、電源が停止されても焦点距離の保持が可能である撮像装置において、焦点距離をユーザに通知する例について説明をする。
【０１０４】
インナーズームタイプの光学系を備えた撮像装置のように、焦点距離が変更されても外観がかわらない撮像装置の場合、ＥＶＦや外部機器の制御画面を見ていないユーザ（被写体）には、望遠側と広角側のいずれで撮影しようとしているのかさえわからない。加えて、ＥＶＦや外部機器の制御画面を見ているユーザ（操作者）であっても、撮像装置の起動が完了し、ＥＶＦや外部機器にプレビュー画面や焦点距離が表示されるまでは、現在設定されている焦点距離がわからない。そこで、本実施例では、ＥＶＦや外部機器の制御画面よりも起動が速い通知部を備え、焦点距離に応じて通知方法を変えることで焦点距離に関する情報をユーザに通知することができる撮像装置について説明をする。
【０１０５】
本実施例の構成は、実施例１、２と同様であるため説明を省略する。但し、第１、第２の通知部１４０、１４１のそれぞれは、起動が速い発光部とし、焦点距離は第１の焦点距離と第２の焦点距離と切り替え可能な構成とする。また、ズームスイッチ１１３は、第１の焦点距離と第２の焦点距離とのそれぞれに対応した構成とし、図１に記載した２つのズームスイッチのうち、一方を押下すると第１の焦点距離に、もう一方を押下すると第２の焦点距離に、光学系の焦点距離が切り替わる。
【０１０６】
コントローラ１０１は、ズームスイッチ１１３の押下状態を検知することができ、第１の焦点距離に対応するボタンが押下されている場合と第２の焦点距離に対応するボタンが押下されている場合とで、第１、第２の通知部１４０、１４１の発光色を変更する。第１の焦点距離と第２の焦点距離とのうち、焦点距離が長いほうの発光色を赤色のような暖色に、焦点距離が短いほうの発光色を青や緑のような寒色にすることが好ましい。
【０１０７】
本実施例の場合、撮像装置の電源が投入されるとすぐに焦点距離に関する情報をユーザに通知することができるため、撮像装置の起動前に焦点距離の設定値を変更する指示を入力できる。撮像装置の電源停止中や起動前にもユーザの操作により焦点距離を変更できる、ボタン操作によりレンズ位置がメカ的に変更される撮像装置であると、起動前に所望の焦点距離を設定することができるため特に効果が大きい。
【０１０８】
（変形例）
撮像装置１００及びＥＶＦ１５０の変形例の外観図を図６及び７に示す。図１と同じ構成に、同じ符号を付している。
【０１０９】
図６に示す撮像装置１００は、ズームスイッチ１１３を１つ備えており、ズームスイッチ１１３の押下により、順番に焦点距離が切り替わる。また、レリーズスイッチとパワースイッチを兼用したパワー／レリーズスイッチ２００を備える。パワー／レリーズスイッチ２００は、押下時間によってパワースイッチとして機能したり、レリーズスイッチとして機能したりすることができる。
【０１１０】
一方、図７に示す撮像装置１００は、ズームスイッチとして機能するズームレバー２１３を備える。ズームレバーは、光学系は複数の焦点距離をとることが可能であり、光学系がとれる焦点距離のそれぞれに対応する角度に回転可能であり、回転位置に応じて焦点距離を切り替えることができる。
【０１１１】
上記実施例１〜２では、焦点距離を変更する現在設定されている焦点距離の取得方法として、レンズ駆動部から設定されているレンズ位置を取得し、取得したレンズ位置に基づいて焦点距離を取得したが、焦点距離の取得方法はこれに限定されない。例えば、実施例３のように、ズームスイッチ１１３の押下状態に基づいて焦点距離を取得してもよい。この形態は、ズームスイッチ１１３に限らず、図７に示す撮像装置のズームレバー２１３の角度により設定されている焦点距離を取得してもよい。
【０１１２】
また、電源停止時にも焦点距離を変更することが可能な結像光学系を備える場合、焦点距離の取得を迅速に行うために、コントローラは起動が早いサブプロセッサを用いて焦点距離を取得してもよい。
【０１１３】
また、上記実施例１〜２では、第１の閾値と第２の閾値とを設けた例について説明をしたが、３つ以上の閾値を設けてもよい。例えば、ＥＶＦを覗いて撮影する第１のモード、外部機器を用いて手持ちで撮影する第２のモード、三脚に固定またはテーブル等の静止体の上に置いて撮影する第３のモードを備える撮像装置において、各モードに応じて閾値を変更してもよい。この様な撮像装置の場合、第３のモード設定時は手振れの影響は小さいことが想定されるが、ユーザの操作によるこまめな画角調整が難しいことが想定されるため、第１のモードの閾値と第２のモードの閾値の間の値を閾値として設定することが好ましい。各モードの切り替えは、ユーザの操作により行ってもよいし、撮像装置が自動で判別して行ってもよい。自動で判別する場合、例えば、ＥＶＦが取り付けられている場合は第１のモードとし、撮像装置が備える置き撮り用のスタンドが格納されているか否かによって第２のモードと第３のモードとを自動で判別する。
【０１１４】
また、実施例１〜２では、焦点距離に応じて発光色と発光パターンの両方を変更したが、いずれか一方のみを変更してもよい。
【０１１５】
また、実施例１〜２のフローには記載がないが、撮像装置の起動処理または終了処理として、焦点距離の変更や焦点距離に関する情報の通知以外の処理を行ってもよい。例えば、通知部が発光部と発音部とを備え、焦点距離に関する情報は上述のように発光部で、電源の投入、停止に関する情報は発音部からの音声でユーザに通知してもよい。
【０１１６】
以上、本発明の好ましい実施形態について説明したが、本発明はこれらの実施形態に限定されず、その要旨の範囲内で種々の変形及び変更が可能である。
【符号の説明】
【０１１７】
１００  撮像装置
１０１  コントローラ
１０２  ＲＯＭ
１０３  ＲＡＭ
１０４  データ格納手段
１０５  結像光学系
１０６  撮像素子
１０７  撮像素子制御部
１０８  画像処理部
１０９  データ通信手段
１１１  表示制御部
１１２  パワースイッチ
１１３  ズームスイッチ
１１４  レリーズスイッチ
１１５  ファインダ接続検出部
１１６  電池
１１７  ＤＣ／ＤＣコンバータ
１１８  モードスイッチ
１１９  焦点制御部
１２０  コネクタ
１３１  レンズ駆動部
１３２  測光制御部
１３３  シャッター
１４０  第１の通知部
１４１  第２の通知部
１５０  ＥＶＦ
１５１  コネクタ
１５２  接眼検知部
１５４  表示部
１５５  コントローラ
１６０  外部機器
１６１  表示部
【図１】
2019121859.tif 000003
【図２】
2019121859.tif 000004
【図３】
2019121859.tif 000005
【図４】
2019121859.tif 000006
【図５】
2019121859.tif 000007
【図６】
2019121859.tif 000008
【図７】
2019121859.tif 000009